(57)【要約】【課題】夏季の高温多湿の環境下における体温上昇を抑えるべく、臀部や鼠蹊部、他、背中を冷やし、且つ熱放散、発汗の蒸発を促すことで、心身のストレスを緩和し、熱中症を予防することができ、任意で手間無く容易に着脱できる冷却具を提供する。【解決手段】冷却具１０１は、着衣に挾着できるホルダー１の背面に、ポケット部５を使用者身体Ｕの身体側に垂下る形状で設け、熱放散補助板３で挟んで結合し、同じく、該熱放散補助板３の下部と該ポケット部５を固定具４で挟んで結合し、保冷剤Ｃを収容した保冷剤袋２を該ポケット部５に挿脱自在に収容できる構成とされる冷却具１０１。【選択図】図１
2017200547.tif 000002
【特許請求の範囲】
【請求項１】
ズボンのウエストバンドに挾着できるホルダーの背面に、ポケット部を使用者身体の身体側に垂下る形状で設け、熱放散補助板で挟んで結合し、同じく、該熱放散補助板の下部と該ポケット部を固定具で結合し、保冷剤を収容した保冷剤袋を、タオル地で形成して、該ポケット部に挿脱自在に収容できる構成とされることを特徴とする冷却具。
【発明の詳細な説明】
【技術分野】
【０００１】  本発明は、冷涼感を与えて熱中症を予防する冷却具に関する。
【背景技術】
【０００２】  近年、温暖化が進行し、夏の暑さが厳しさを増し、高温多湿等が原因となって略密閉された着衣内は蓄熱され、汗ばんだ下着が密着し、不快指数を上昇させて老若男女、何時でも屋外屋内を問わず熱中症にかかる危険性があり、予防策が各種提案されている。【０００３】  これに対して、従来、熱中症予防として身体を冷やすための冷却具として、水を吸収させた保水性素材の気化熱によって身体の冷却を目的としたベスト形状の衣服（特許文献１）や、冷却材を収納できるようにしたポケットの付いた衣服（特許文献２）が提案されている。
【先行技術文献】
【特許文献】
【０００４】
【特許文献１】特開２０１５−５２１８８号公報
【特許文献２】特開２００２−３０９４１４号公報
【発明の概要】
【発明が解決しようとする課題】
【０００５】  しかし、上記のような冷却具では、寒さを感じた時に脱衣するには、上着を脱着する煩わしさや、上着が嵩張るなどといった欠点があった。【０００６】  そのため本発明は、上記の実情に鑑みて、高温多湿の環境下における体温上昇を抑制するために、急激な冷感を防ぎつつ身体を冷やし、且つ着衣内の熱放散や、汗の蒸発を促し、心身のストレスを緩和することで、結果、熱中症を予防することができ、構造的に、容易に着脱できる冷却具を提供することを課題とする。
【課題を解決するための手段】
【０００７】  上記の課題を解決するために本発明は、ズボンＰのウエストバンドに挾着するホルダー１の背面に、ポケット部５を使用者身体Ｕの身体側に垂下る形状で設け、熱放散補助板３で挟んで結合し、同じく、該熱放散補助板３の下部と該ポケット部５を固定具４で結合し、保冷剤Ｃを収容した保冷剤袋２をタオル地で形成して、該ポケット部５に挿脱自在に収容できる構成としたことを特徴とする冷却具１０１である。
【発明の効果】
【０００８】  本発明の冷却具は、急激な冷感を防ぎつつ身体に冷涼感を与えて、且つ着衣内の熱放散や、汗の蒸発を促すことで、熱中症を予防することができ、任意で手間無く容易に着脱できる利点がある。
【図面の簡単な説明】
【０００９】
【図１】本発明の冷却具の正面側を示した斜視図である。
【図２】図１の冷却具の後方から見た斜視図である。
【図３】保冷剤袋の斜視図である。
【図４】ウエストバンドに冷却具を装着の状態を示した平面図である。
【図５】図４におけるＹ−Ｙ線断面図である。
【図６】図４におけるＸ−Ｘ線断面図である。
【図７】衿台に装着の状態を示した冷却具の平面図である。
【発明を実施するための形態】
【００１０】  以下に、本発明の実施の形態について図面を参照しながら説明する。
【００１１】  図１、図２は、いずれも本発明の冷却具１０１（図１は、正面側。図２は、裏面側）を示す斜視図で、着衣内の略密閉された状態から空間を開放し、熱気、蒸れた空気を着衣外へ放出するための逃げ道を確保し、身体に冷涼感を与えて、熱中症の予防を目的とした冷却具１０１である。
【００１２】  図５は、図４で示すズボンＰのウエストバンドに冷却具１０１を装着の状態を示したＹ−Ｙ線断面図であり、ホルダー１をプラスチックで形成し、該ホルダー１の背面に、ポケット部５を使用者身体Ｕの身体側に垂下る形状で設け、弾性を持つウレタンフォーム若しくは、ゴム素材で形成した熱放散補助板３で挟んで結合し、同様に、該熱放散補助板３の下部と該ポケット部５を、ウレタンフォーム若しくは、ゴム素材で形成した固定具４で結合することで冷却具１０１の形状を保つのと兼ねて、多少の動作でも着衣に装着した冷却具１０１が外れることを防ぐ。
【００１３】  上記の、該ポケット部５の構成は、通気性が優れたメッシュ編地で形成し、繊維素材としては、とくに限定せず、不織布でも良いが、植物繊維若しくは、蒸散性を有した、ポリエステル繊維やナイロン繊維等の合成繊維を用いることが好ましく、とくにポリエステル繊維が望ましい。
【００１４】  また、図１で示す冷却具１０１の該ポケット部５に収容した図３で示す保冷剤袋２は、保冷剤Ｃを出し入れするための開口と、片や、開口を覆うフラップ８を有し、該フラップ８に止着の第２面ファスナー９と、該開口を閉塞できるように、開口部に第１面ファスナー６を止着し、該第２面ファスナー９と該第１面ファスナー６が雌雄係合し、開閉自在とする。若しくは、スライドファスナー、ホック等の何れかの止着手段によって、開閉自在とし、該保冷剤袋２は、吸水性に富むタオル地によって形成し、汗を良好に吸収できると共に急激な冷感を防ぎ、血液循環を通じて身体を冷やすことができる。
【００１５】  尚、上記したとおり、構造的に、保冷剤Ｃを収容した保冷剤袋２は、別個に利用することができ、冷タオルとして汗を拭うなど、熱った部位へ直に当てたりが可能となる。
【００１６】  図６は、図４で示すズボンＰのウエストバンドに冷却具１０１を装着の状態を示したＸ−Ｘ線断面図であり、熱放散補助板３の身体側には、通気の空間を確保する形状とし、好ましくは、波型状の凹凸を形成し、使用者身体ＵとズボンＰのウエストバンドとの間に空間を確保したことに加えて、冷却具１０１内に収容させた、保冷剤Ｃにより生じる冷気によって対流が生じ、通気性が良好になり、熱放散、汗の蒸発が促され、体感温度を下げ、該保冷剤Ｃの冷感によって身体を冷やすことで、心身のストレスを緩和し、熱中症を予防することができる。
【００１７】  本例では、本発明の冷却具１０１として、ウエストバンドに装着して使用する冷却具１０１を説明したが、他の例として、図７に示したシャツＳの襟台に装着して背中部分に冷涼感を与えることができる。
【００１８】  図１で示す熱放散補助板３が露出した露出部Ｌにより、該熱放散補助板３を形成するウレタンフォーム若しくは、ゴム素材の摩擦力で身体側に密接されることで、冷却具１０１及び、ズボンＰのずり落ちを防ぐ。
【００１９】  上記した該熱放散補助板３の露出部Ｌは、２０ｍｍ〜４０ｍｍが好ましい。
【００２０】  尚、ウレタンフォーム若しくは、ゴム素材で形成した該熱放散補助板３は、熱伝導率が低く外気温から保冷剤Ｃを断熱し、冷却効果を長く持続させる効果がある。
【符号の説明】
【００２１】  １    ホルダー
２    保冷剤袋
３    熱放散補助板
４    固定具
５    ポケット部
６    第１面ファスナー
７    縫目
８    フラップ
９    第２面ファスナー
１０１  冷却具
Ｃ    保冷剤
Ｌ    露出部
Ｐ    ズボン
Ｓ    シャツ
Ｕ    使用者身体
【図１】
2017200547.tif 000003
【図２】
2017200547.tif 000004
【図３】
2017200547.tif 000005
【図４】
2017200547.tif 000006
【図５】
2017200547.tif 000007
【図６】
2017200547.tif 000008
【図７】
2017200547.tif 000009